【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
それぞれネットワークに接続される、第１の情報処理装置、前記第１の情報処理装置と情報を授受する第２の情報処理装置、および前記第１の情報処理装置と前記第２の情報処理装置との間における情報の授受を制御する第３の情報処理装置により構成される情報処理システムにおいて、
第１の情報処理装置は、録画する番組に関する録画番組情報とともに、前記録画番組情報を提供する提供先を、前記ネットワークを介して前記第３の情報処理装置に送信し、
前記第３の情報処理装置は、
前記第１の情報処理装置から前記ネットワークを介して送信されてきた前記録画番組情報を登録し、
前記第２の情報処理装置が、前記提供先である場合、登録した前記録画番組情報を、前記ネットワークを介して前記第２の情報処理装置に送信し、
前記第２の情報処理装置は、前記第１の情報処理装置が前記第３の情報処理装置に記憶させた前記録画番組情報を、前記ネットワークを介して前記第３の情報処理装置から受信する
ことを特徴とする情報処理システム。
【請求項２】
それぞれネットワークに接続される、第１の情報処理装置、前記第１の情報処理装置と情報を授受する第２の情報処理装置、および前記第１の情報処理装置と前記第２の情報処理装置との間における情報の授受を制御する第３の情報処理装置により構成される情報処理システムの情報処理方法において、
第１の情報処理装置は、
録画する番組に関する録画番組情報とともに、前記録画番組情報を提供する提供先を、前記ネットワークを介して前記第３の情報処理装置に送信し、
前記第３の情報処理装置は、
前記第１の情報処理装置から前記ネットワークを介して送信されてきた前記録画番組情報を登録し、
前記第２の情報処理装置が、前記提供先である場合、登録した前記録画番組情報を、前記ネットワークを介して前記第２の情報処理装置に送信し、
前記第２の情報処理装置は、前記第１の情報処理装置が前記第３の情報処理装置に記憶させた前記録画番組情報を、前記ネットワークを介して前記第３の情報処理装置から受信する
ことを特徴とする情報処理方法。
【請求項３】
録画する番組に関する録画番組情報を取得する第１の取得手段と、
前記録画番組情報を提供する提供先を特定する提供先情報を取得する第２の取得手段と、
前記第１の取得手段により取得された前記録画番組情報と、前記第２の取得手段により取得された前記提供先情報を、他の情報処理装置に提供する提供手段と
を備えることを特徴とする情報処理装置。
【請求項４】
前記提供手段は、前記録画番組情報と前記提供先情報を、ネットワークを介して前記他の情報処理装置のうちの第１の他の情報処理装置に送信して、登録させ、前記第１の他の情報処理装置から、さらに前記提供先情報により規定される前記他の情報処理装置のうちの第２の他の情報処理装置に、前記ネットワークを介して前記録画番組情報を提供させる
ことを特徴とする請求項３に記載の情報処理装置。
【請求項５】
情報処理装置の情報処理方法において、
録画する番組に関する録画番組情報を取得する第１の取得ステップと、
前記録画番組情報を提供する提供先を特定する提供先情報を取得する第２の取得ステップと、
前記第１の取得ステップの処理により取得された前記録画番組情報と、前記第２の取得ステップの処理により取得された前記提供先情報を、他の情報処理装置に提供する提供ステップと
を含むことを特徴とする情報処理方法。
【請求項６】
情報処理装置のプログラムであって、
録画する番組に関する録画番組情報を取得する第１の取得ステップと、
前記録画番組情報を提供する提供先を特定する提供先情報を取得する第２の取得ステップと、
前記第１の取得ステップの処理により取得された前記録画番組情報と、前記第２の取得ステップの処理により取得された前記提供先情報を、他の情報処理装置に提供する提供ステップと
を含むことを特徴とするコンピュータが読み取り可能なプログラムが記録されている記録媒体。
【請求項７】
情報処理装置を制御するコンピュータに、
録画する番組に関する録画番組情報を取得する第１の取得ステップと、
前記録画番組情報を提供する提供先を特定する提供先情報を取得する第２の取得ステップと、
前記第１の取得ステップの処理により取得された前記録画番組情報と、前記第２の取得ステップの処理により取得された前記提供先情報を、他の情報処理装置に提供する提供ステップと
を実行させることを特徴とするプログラム。
【請求項８】
ネットワークを介して他の情報処理装置にアクセスするアクセス手段と、
前記ネットワークを介してアクセスした前記他の情報処理装置から、録画する番組に関する録画番組情報を受信する受信手段と、
前記他の情報処理装置から受信された前記録画番組情報を記憶する記憶手段と、
前記記憶手段に記憶された前記録画番組情報に基づいて、前記番組を予約録画する予約録画手段と
を備えることを特徴とする情報処理装置。
【請求項９】
前記他の情報処理装置から受信された前記録画番組情報から、所定の番組を指定する指定情報を取得する第１の取得手段と、
前記第１の取得手段により取得された前記指定情報を、前記他の情報処理装置に前記ネットワークを介して送信する送信手段と
をさらに備え、
前記受信手段は、前記他の情報処理装置から前記ネットワークを介して送信されてきた、前記送信手段により送信された前記指定情報に対応する、前記番組の前記録画番組情報を受信し、
前記記憶手段は、前記送信手段により送信された前記指定情報に対応する、前記番組の前記録画番組情報を記憶する
ことを特徴とする請求項８に記載の情報処理装置。
【請求項１０】
前記受信手段は、前記情報処理装置のユーザ以外のユーザが、前記他の情報処理装置に登録させた第１の録画番組情報と、前記他の情報処理装置が独自に提供する第２の録画番組情報を受信し、
前記第１の録画番組情報と前記第２の録画番組情報のいずれか一方を選択する選択情報を取得する第２の取得手段と、
前記第２の取得手段により取得された前記選択情報に基づいて、前記第１の録画番組情報と前記第２の録画番組情報のいずれか一方を提示する提示手段と、
前記提示手段により提示された前記第１の録画番組情報と前記第２の録画番組情報のいずれか一方を指定する指定情報を取得する第３の取得手段と、
をさらに備え、
前記第１の取得手段は、前記第３の取得手段により取得された指定情報に対応する前記録画番組情報から、所定の番組を指定する指定情報を取得する
ことを特徴とする請求項９に記載の情報処理装置。
【請求項１１】
情報処理装置の情報処理方法において、
ネットワークを介して他の情報処理装置にアクセスするアクセスステップと、
前記ネットワークを介してアクセスした前記他の情報処理装置から、録画する番組に関する録画番組情報を受信する受信ステップと、
前記他の情報処理装置から受信された前記録画番組情報を記憶する記憶ステップと、
前記記憶ステップの処理により記憶された前記録画番組情報に基づいて、前記番組を予約録画する予約録画ステップと
を含むことを特徴とする情報処理方法。
【請求項１２】
情報処理装置のプログラムであって、
ネットワークを介して他の情報処理装置にアクセスするアクセスステップと、
前記ネットワークを介してアクセスした前記他の情報処理装置から、録画する番組に関する録画番組情報を受信する受信ステップと、
前記他の情報処理装置から受信された前記録画番組情報を記憶する記憶ステップと、
前記記憶ステップの処理により記憶された前記録画番組情報に基づいて、前記番組を予約録画する予約録画ステップと
を含むことを特徴とするコンピュータが読み取り可能なプログラムが記録されている記録媒体。
【請求項１３】
情報処理装置を制御するコンピュータに、
ネットワークを介して他の情報処理装置にアクセスするアクセスステップと、
前記ネットワークを介してアクセスした前記他の情報処理装置から、録画する番組に関する録画番組情報を受信する受信ステップと、
前記他の情報処理装置から受信された前記録画番組情報を記憶する記憶ステップと、
前記記憶ステップの処理により記憶された前記録画番組情報に基づいて、前記番組を予約録画する予約録画ステップと
を実行させることを特徴とするプログラム。
【請求項１４】
第１の他の情報処理装置、および前記第１の他の情報処理装置と情報を授受する第２の他の情報処理装置とともにネットワークに接続され、前記第１の他の情報処理装置と前記第２の他の情報処理装置との間における情報の授受を制御する情報処理装置において、
前記第１の他の情報処理装置が前記ネットワークを介してのアクセスを受け付ける第１の受付手段と、
前記第１の受付手段によりアクセスが受け付けられた前記第１の他の情報処理装置から送信されてきた、録画する番組に関する録画番組情報と、前記録画番組情報を提供する提供先を特定する提供先情報を受信する受信手段と、
前記受信手段により受信された前記録画番組情報と前記提供先情報を登録する登録手段と、
前記第２の他の情報処理装置による前記ネットワークを介してのアクセスを受け付ける第２の受付手段と、
前記第２の受付手段によりアクセスが受け付けられた前記第２の他の情報処理装置が、前記録画番組情報を提供する前記提供先であるか否かを判定する判定手段と、
前記判定手段により、前記第２の受付手段によりアクセスが受け付けられた前記第２の他の情報処理装置が、前記録画番組情報を提供する前記提供先であると判定された場合、前記登録手段に登録されている前記録画番組情報を、前記ネットワークを介して前記第２の他の情報処理装置に送信する第１の送信手段と
を備えることを特徴とする情報処理装置。
【請求項１５】
前記第１の送信手段により送信された前記録画番組情報に基づいて選択された前記番組を指定する指定情報を、前記ネットワークを介して前記第２の他の情報処理装置から取得する第１の取得手段と、
前記第１の取得手段により取得された前記指定情報に対応する前記番組の前記録画番組情報を、前記ネットワークを介して前記第２の他の情報処理装置に送信する第２の送信手段と
をさらに備えることを特徴とする請求項１４に記載の情報処理装置。
【請求項１６】
前記第１の送信手段は、前記第１の他の情報処理装置により登録された第１の録画番組情報と、前記情報処理装置が独自に提供する第２の録画番組情報を選択するための選択情報を、前記第２の他の情報処理装置に送信し、
前記取得手段は、前記第１の送信手段により送信した、前記第１の録画番組情報と前記第２の録画番組情報のいずれか一方であって、前記第１の他の情報処理装置により選択された方の前記録画番組情報に基づいて選択された前記番組を指定する前記指定情報を取得する
ことを特徴とする請求項１５に記載の情報処理装置。
【請求項１７】
第１の他の情報処理装置、および前記第１の他の情報処理装置と情報を授受する第２の他の情報処理装置とともにネットワークに接続され、前記第１の他の情報処理装置と前記第２の他の情報処理装置との間における情報の授受を制御する情報処理装置の情報処理方法において、
前記第１の他の情報処理装置による前記ネットワークを介してのアクセスを受け付ける第１の受付ステップと、
前記第１の受付ステップの処理によりアクセスが受け付けられた前記第１の他の情報処理装置から送信されてきた、録画する番組に関する録画番組情報と、前記録画番組情報を提供する提供先を特定する提供先情報を受信する受信ステップと、
前記受信ステップの処理により受信された前記録画番組情報と前記提供先情報を登録する登録ステップと、
前記第２の他の情報処理装置による前記ネットワークを介してのアクセスを受け付ける第２の受付ステップと、
前記第２の受付ステップの処理によりアクセスが受け付けられた前記第２の他の情報処理装置が、前記録画番組情報を提供する前記提供先であるか否かを判定する判定ステップと、
前記判定ステップの処理により、前記第２の受付ステップの処理によりアクセスが受け付けられた前記第２の他の情報処理装置が、前記録画番組情報を提供する前記提供先であると判定された場合、前記登録ステップの処理により登録されている前記録画番組情報を、前記ネットワークを介して前記第２の他の情報処理装置に送信する送信ステップと
を含むことを特徴とする情報処理方法。
【請求項１８】
第１の他の情報処理装置、および前記第１の他の情報処理装置と情報を授受する第２の他の情報処理装置とともにネットワークに接続され、前記第１の他の情報処理装置と前記第２の他の情報処理装置との間における情報の授受を制御する情報処理装置のプログラムであって、
前記第１の他の情報処理装置による前記ネットワークを介してのアクセスを受け付ける第１の受付ステップと、
前記第１の受付ステップの処理によりアクセスが受け付けられた前記第１の他の情報処理装置から送信されてきた、録画する番組に関する録画番組情報と、前記録画番組情報を提供する提供先を特定する提供先情報を受信する受信ステップと、
前記受信ステップの処理により受信された前記録画番組情報と前記提供先情報を登録する登録ステップと、
前記第２の他の情報処理装置による前記ネットワークを介してのアクセスを受け付ける第２の受付ステップと、
前記第２の受付ステップの処理によりアクセスが受け付けられた前記第２の他の情報処理装置が、前記録画番組情報を提供する前記提供先であるか否かを判定する判定ステップと、
前記判定ステップの処理により、前記第２の受付ステップの処理によりアクセスが受け付けられた前記第２の他の情報処理装置が、前記録画番組情報を提供する前記提供先であると判定された場合、前記登録ステップの処理により登録されている前記録画番組情報を、前記ネットワークを介して前記第２の他の情報処理装置に送信する送信ステップと
を含むことを特徴とするコンピュータが読み取り可能なプログラムが記録されている記録媒体。
【請求項１９】
第１の他の情報処理装置、および前記第１の他の情報処理装置と情報を授受する第２の他の情報処理装置とともにネットワークに接続され、前記第１の他の情報処理装置と前記第２の他の情報処理装置との間における情報の授受を制御する情報処理装置を制御するコンピュータに、
前記第１の他の情報処理装置による前記ネットワークを介してのアクセスを受け付ける第１の受付ステップと、
前記第１の受付ステップの処理によりアクセスが受け付けられた前記第１の他の情報処理装置から送信されてきた、録画する番組に関する録画番組情報と、前記録画番組情報を提供する提供先を特定する提供先情報を受信する受信ステップと、
前記受信ステップの処理により受信された前記録画番組情報と前記提供先情報を登録する登録ステップと、
前記第２の他の情報処理装置による前記ネットワークを介してのアクセスを受け付ける第２の受付ステップと、
前記第２の受付ステップの処理によりアクセスが受け付けられた前記第２の他の情報処理装置が、前記録画番組情報を提供する前記提供先であるか否かを判定する判定ステップと、
前記判定ステップの処理により、前記第２の受付ステップの処理によりアクセスが受け付けられた前記第２の他の情報処理装置が、前記録画番組情報を提供する前記提供先であると判定された場合、前記登録ステップの処理により登録されている前記録画番組情報を、前記ネットワークを介して前記第２の他の情報処理装置に送信する送信ステップと
を実行させることを特徴とするプログラム。
【手続補正２】
【補正対象書類名】明細書
【補正対象項目名】０００７
【補正方法】変更
【補正の内容】
【０００７】
【課題を解決するための手段】
本発明の情報処理システムは、それぞれネットワークに接続される、第１の情報処理装置、第１の情報処理装置と情報を授受する第２の情報処理装置、および第１の情報処理装置と第２の情報処理装置との間における情報の授受を制御する第３の情報処理装置により構成される情報処理システムであって、第１の情報処理装置は、録画する番組に関する録画番組情報とともに、録画番組情報を提供する提供先を、ネットワークを介して第３の情報処理装置に送信し、第３の情報処理装置は、第１の情報処理装置からネットワークを介して送信されてきた録画番組情報を登録し、第２の情報処理装置が、提供先である場合、登録した録画番組情報を、ネットワークを介して第２の情報処理装置に送信し、第２の情報処理装置は、第１の情報処理装置が第３の情報処理装置に記憶させた録画番組情報を、ネットワークを介して第３の情報処理装置から受信することを特徴とする。
【手続補正３】
【補正対象書類名】明細書
【補正対象項目名】０００８
【補正方法】変更
【補正の内容】
【０００８】
本発明の第１の情報処理方法は、それぞれネットワークに接続される、第１の情報処理装置、第１の情報処理装置と情報を授受する第２の情報処理装置、および第１の情報処理装置と第２の情報処理装置との間における情報の授受を制御する第３の情報処理装置により構成される情報処理システムの情報処理方法であって、第１の情報処理装置は、録画する番組に関する録画番組情報とともに、録画番組情報を提供する提供先を、ネットワークを介して第３の情報処理装置に送信し、第３の情報処理装置は、第１の情報処理装置からネットワークを介して送信されてきた録画番組情報を登録し、第２の情報処理装置が、提供先である場合、登録した録画番組情報を、ネットワークを介して第２の情報処理装置に送信し、第２の情報処理装置は、第１の情報処理装置が第３の情報処理装置に記憶させた録画番組情報を、ネットワークを介して第３の情報処理装置から受信することを特徴とする。
【手続補正４】
【補正対象書類名】明細書
【補正対象項目名】００２０
【補正方法】変更
【補正の内容】
【００２０】
本発明の第３の情報処理装置は、第１の他の情報処理装置がネットワークを介してのアクセスを受け付ける第１の受付手段と、第１の受付手段によりアクセスが受け付けられた第１の他の情報処理装置から送信されてきた、録画する番組に関する録画番組情報と、録画番組情報を提供する提供先を特定する提供先情報を受信する受信手段と、受信手段により受信された録画番組情報と提供先情報を登録する登録手段と、第２の他の情報処理装置によるネットワークを介してのアクセスを受け付ける第２の受付手段と、第２の受付手段によりアクセスが受け付けられた第２の他の情報処理装置が、録画番組情報を提供する提供先であるか否かを判定する判定手段と、判定手段により、第２の受付手段によりアクセスが受け付けられた第２の他の情報処理装置が、録画番組情報を提供する提供先であると判定された場合、登録手段に登録されている録画番組情報を、ネットワークを介して第２の他の情報処理装置に送信する第１の送信手段とを備えることを特徴とする。
【手続補正５】
【補正対象書類名】明細書
【補正対象項目名】００２１
【補正方法】変更
【補正の内容】
【００２１】
第１の送信手段により送信された録画番組情報に基づいて選択された番組を指定する指定情報を、ネットワークを介して第２の他の情報処理装置から取得する第１の取得手段と、第１の取得手段により取得された指定情報に対応する番組の録画番組情報を、ネットワークを介して第２の他の情報処理装置に送信する第２の送信手段とをさらに含むようにすることができる。
【手続補正６】
【補正対象書類名】明細書
【補正対象項目名】００２２
【補正方法】変更
【補正の内容】
【００２２】
第１の送信手段は、第１の他の情報処理装置により登録された第１の録画番組情報と、情報処理装置が独自に提供する第２の録画番組情報を選択するための選択情報を、第２の他の情報処理装置に送信し、取得手段は、第１の送信手段により送信した、第１の録画番組情報と第２の録画番組情報のいずれか一方であって、第１の他の情報処理装置により選択された方の録画番組情報に基づいて選択された番組を指定する指定情報を取得するようにすることができる。
【手続補正７】
【補正対象書類名】明細書
【補正対象項目名】００２３
【補正方法】変更
【補正の内容】
【００２３】
本発明の第４の情報処理方法は、第１の他の情報処理装置によるネットワークを介してのアクセスを受け付ける第１の受付ステップと、第１の受付ステップの処理によりアクセスが受け付けられた第１の他の情報処理装置から送信されてきた、録画する番組に関する録画番組情報と、録画番組情報を提供する提供先を特定する提供先情報を受信する受信ステップと、受信ステップの処理により受信された録画番組情報と提供先情報を登録する登録ステップと、第２の他の情報処理装置によるネットワークを介してのアクセスを受け付ける第２の受付ステップと、第２の受付ステップの処理によりアクセスが受け付けられた第２の他の情報処理装置が、録画番組情報を提供する提供先であるか否かを判定する判定ステップと、判定ステップの処理により、第２の受付ステップの処理によりアクセスが受け付けられた第２の他の情報処理装置が、録画番組情報を提供する提供先であると判定された場合、登録ステップの処理により登録されている録画番組情報を、ネットワークを介して第２の他の情報処理装置に送信する送信ステップとを含むことを特徴とする。
【手続補正８】
【補正対象書類名】明細書
【補正対象項目名】００２４
【補正方法】変更
【補正の内容】
【００２４】
本発明の第３の記録媒体に記録されているプログラムは、第１の他の情報処理装置によるネットワークを介してのアクセスを受け付ける第１の受付ステップと、第１の受付ステップの処理によりアクセスが受け付けられた第１の他の情報処理装置から送信されてきた、録画する番組に関する録画番組情報と、録画番組情報を提供する提供先を特定する提供先情報を受信する受信ステップと、受信ステップの処理により受信された録画番組情報と提供先情報を登録する登録ステップと、第２の他の情報処理装置によるネットワークを介してのアクセスを受け付ける第２の受付ステップと、第２の受付ステップの処理によりアクセスが受け付けられた第２の他の情報処理装置が、録画番組情報を提供する提供先であるか否かを判定する判定ステップと、判定ステップの処理により、第２の受付ステップの処理によりアクセスが受け付けられた第２の他の情報処理装置が、録画番組情報を提供する提供先であると判定された場合、登録ステップの処理により登録されている録画番組情報を、ネットワークを介して第２の他の情報処理装置に送信する送信ステップとを含むことを特徴とする。
【手続補正９】
【補正対象書類名】明細書
【補正対象項目名】００２５
【補正方法】変更
【補正の内容】
【００２５】
本発明の第３のプログラムは、第１の他の情報処理装置によるネットワークを介してのアクセスを受け付ける第１の受付ステップと、第１の受付ステップの処理によりアクセスが受け付けられた第１の他の情報処理装置から送信されてきた、録画する番組に関する録画番組情報と、録画番組情報を提供する提供先を特定する提供先情報を受信する受信ステップと、受信ステップの処理により受信された録画番組情報と提供先情報を登録する登録ステップと、第２の他の情報処理装置によるネットワークを介してのアクセスを受け付ける第２の受付ステップと、第２の受付ステップの処理によりアクセスが受け付けられた第２の他の情報処理装置が、録画番組情報を提供する提供先であるか否かを判定する判定ステップと、判定ステップの処理により、第２の受付ステップの処理によりアクセスが受け付けられた第２の他の情報処理装置が、録画番組情報を提供する提供先であると判定された場合、登録ステップの処理により登録されている録画番組情報を、ネットワークを介して第２の他の情報処理装置に送信する送信ステップとを含む処理をコンピュータに実行させることを特徴とする。
【手続補正１０】
【補正対象書類名】明細書
【補正対象項目名】００２６
【補正方法】変更
【補正の内容】
【００２６】
第１の本発明においては、第１の情報処理装置で、録画する番組に関する録画番組情報とともに、録画番組情報を提供する提供先が、ネットワークを介して第３の情報処理装置に送信され、登録される。そして、第２の情報処理装置が、提供先である場合、第３の情報処理装置に登録された録画番組情報が、ネットワークを介して第２の情報処理装置に送信される。
【手続補正１１】
【補正対象書類名】明細書
【補正対象項目名】００２７
【補正方法】変更
【補正の内容】
【００２７】
第２の本発明においては、録画する番組に関する録画番組情報と、録画番組情報を提供する提供先を特定する提供先情報が取得され、録画番組情報と提供先情報が、他の情報処理装置に提供される。
【手続補正１２】
【補正対象書類名】明細書
【補正対象項目名】００２８
【補正方法】変更
【補正の内容】
【００２８】
第３の本発明においては、ネットワークを介して他の情報処理装置から、録画する番組に関する録画番組情報が取得、記憶され、その録画番組情報に基づいて、番組が予約録画される。
【手続補正１３】
【補正対象書類名】明細書
【補正対象項目名】００２９
【補正方法】変更
【補正の内容】
【００２９】
第４の本発明においては、第１の他の情報処理装置から送信されてきた、録画する番組に関する録画番組情報と、録画番組情報を提供する提供先を特定する提供先情報が受信され、登録される。また、アクセスが受け付けられた第２の他の情報処理装置が、録画番組情報を提供する提供先であると判定された場合、登録されている録画番組情報が、ネットワークを介して第２の情報処理装置に送信される。
【手続補正１４】
【補正対象書類名】明細書
【補正対象項目名】００３１
【補正方法】変更
【補正の内容】
【００３１】
サーバ２−１は、録画予約情報（後述する図９の録画予約情報４０１−１乃至４０１−３）を、サーバ２−２は、放送番組情報（EPG（Electronic Program Guide）情報）を、それぞれユーザ装置３にネットワーク１を介して提供する。
【手続補正１５】
【補正対象書類名】明細書
【補正対象項目名】００６０
【補正方法】変更
【補正の内容】
【００６０】
ステップＳ３において、録画予約アプリケーション７０が、録画予約管理部６７に録画予約情報を登録し、処理を終了する。この処理により、録画予約管理部６７に登録された録画予約情報の例を図９に示す。
【手続補正１６】
【補正対象書類名】明細書
【補正対象項目名】０１１４
【補正方法】変更
【補正の内容】
【０１１４】
ユーザ装置３−１は、登録されているユーザ装置３（図２１の例の場合、ユーザ装置３−２）により作成された、複数の録画予約情報に対応する録画番組情報、または、サーバ２−１の録画予約情報に対応する録画番組情報を選択し、さらに、録画番組情報の中から、録画したい番組を指定し、指定した指定情報をサーバ２−１に送信する（図１４のステップＳ９０）。